(57)【要約】【課題】  レンズを確実に支持しつつも、弾性線材を使用材料とすることにより、構造の簡素化して製造コストを低く抑えることができ、しかも、組立作業の手間を軽減することもできる眼鏡レンズの止着機構を提供すること。【解決手段】  レンズ１の側縁面にはレンズ内方に向け側刺孔11が穿設され、かつ、この側刺孔11穿設位置近傍に該当するレンズ表面には止着孔12が穿設されることによって形成されたレンズ支持部10と；このレンズ支持部10に固定可能なチャッキング治具２とから構成されていると共に、このチャッキング治具２とは、弾性線材を折曲成形した側刺ピン21と止着ピン22とを備えて、これら両ピンの対向した各先端部が、前記レンズ支持部10に設けられた前記側刺孔11および止着孔12にそれぞれ嵌入され、かつ、当該側刺ピン21と止着ピン22との弾性線材の弾性付勢力により前記レンズ支持部10をチャックしてレンズ１を支持できるようにした。【選択図】  図１
2005202151.tif 000002
【特許請求の範囲】
【請求項１】
左右一対のレンズ１・１がブリッジＢで並立状態に連結保持されるフロント部Ｆの左右両側にはエンドピースＥが止着保持され、かつ、このエンドピースＥの持出端部にはテンプルＴが配設されて構成される眼鏡において、
前記レンズ１の側縁面にはレンズ内方に向け側刺孔11が穿設され、かつ、この側刺孔11穿設位置近傍に該当するレンズ表面には止着孔12が穿設されることによって形成されたレンズ支持部10と；このレンズ支持部10に固定可能なチャッキング治具２とから構成されていると共に、このチャッキング治具２とは、弾性線材を折曲成形した側刺ピン21と止着ピン22とを備えて、これら両ピンの対向した各先端部が、前記レンズ支持部10に設けられた前記側刺孔11および止着孔12にそれぞれ嵌入され、かつ、当該側刺ピン21と止着ピン22との弾性線材の弾性付勢力により前記レンズ支持部10をチャックしてレンズ１を支持できることを特徴とする眼鏡レンズの止着機構。
【請求項２】
左右一対のレンズ１・１がブリッジＢで並立状態に連結保持されるフロント部Ｆの左右両側にはエンドピースＥが止着保持され、かつ、このエンドピースＥの持出端部にはテンプルＴが配設されて構成されるリムレス眼鏡において、
ブリッジＢおよび／またはエンドピースＥのレンズ側端部にチャッキング治具２が配設されていることを特徴とする請求項１記載の眼鏡レンズの止着機構。
【請求項３】
チャッキング治具２が弾性線材を折曲成形されており、ブリッジＢおよび／またはエンドピースＥと一体に成形していることを特徴とする請求項１または２記載の眼鏡レンズの止着機構。
【請求項４】
左右一対のレンズ１・１がブリッジＢで並立状態に連結保持されるフロント部Ｆの左右両側にはエンドピースＥが止着保持され、かつ、このエンドピースＥの持出端部にはテンプルＴが配設され、前記レンズ１の上縁または下縁に沿ってブローバーＡが取り付けられて構成されるハーフリム眼鏡において、
前記ブローバーＡにおけるブリッジＢおよび／またはエンドピースＥの取付位置近傍に少なくともチャッキング治具２が配設されていることを特徴とする請求項１記載の眼鏡レンズの止着機構。
【請求項５】
レンズ１の止着孔12が前後面に亙って貫通しており、この止着孔12に貫通したチャッキング治具２の止着ピン21の先端部にキャップ材22ａを被嵌したことを特徴とする請求項１〜４の何れか一つに記載の眼鏡レンズの止着機構。
【請求項６】
チャッキング治具２の止着ピン22がレンズ１の止着孔12に対物側から嵌挿可能である一方、チャッキング治具２の基部にはツマミ部23が一体に成形されており、このツマミ部23の圧縮操作により側刺ピン21を掛け外しして着脱容易ならしめたことを特徴とする請求項１〜５の何れか一つに記載の眼鏡レンズの止着機構。
【発明の詳細な説明】
【技術分野】
【０００１】
本発明は、眼鏡の改良、更に詳しくは、レンズを確実に支持しつつも、弾性線材を使用材料とすることにより、構造の簡素化して製造コストを低く抑えることができ、しかも、組立作業の手間を軽減することもできる眼鏡レンズの止着機構に関するものである。
【背景技術】
【０００２】
周知のとおり、最近では、眼鏡もファッションアイテムの一つとして認識されており、シンプルでスマートなデザインのものなどが流行している。ところで、この種の眼鏡においては、例えば、レンズに直接止着孔を穿設し、この止着孔に止着ネジを挿通し、そのレンズ対面側から止着ナットを緊締螺着することによってレンズを止着固定するものがある（例えば、特許文献１参照）。
【０００３】
しかしながら、かかる固定手段は部品点数が多く、しかも、微小な部品を取り扱うがゆえに組立作業にも技巧と熟練とが必要となり、作業時間およびコストがかかってしまうという不満があった。
【特許文献１】特開2003− 84238号公報（第２頁、図１−３）
【発明の開示】
【発明が解決しようとする課題】
【０００４】
本発明は、従来の眼鏡に上記のような問題があったことに鑑みて為されたものであり、その目的とするところは、レンズを確実に支持しつつも、弾性線材を使用材料とすることにより、構造の簡素化して製造コストを低く抑えることができ、しかも、組立作業の手間を軽減することもできる眼鏡レンズの止着機構を提供することにある。
【課題を解決するための手段】
【０００５】
本発明者が上記課題を解決するために採用した手段を添付図面を参照して説明すれば次のとおりである。
【０００６】
即ち、本発明は、左右一対のレンズ１・１がブリッジＢで並立状態に連結保持されるフロント部Ｆの左右両側にはエンドピースＥが止着保持され、かつ、このエンドピースＥの持出端部にはテンプルＴが配設されて構成される眼鏡において、
前記レンズ１の側縁面にはレンズ内方に向け側刺孔11が穿設され、かつ、この側刺孔11穿設位置近傍に該当するレンズ表面には止着孔12が穿設されることによって形成されたレンズ支持部10と；このレンズ支持部10に固定可能なチャッキング治具２とから構成されていると共に、このチャッキング治具２とは、弾性線材を折曲成形した側刺ピン21と止着ピン22とを備えて、これら両ピンの対向した各先端部が、前記レンズ支持部10に設けられた前記側刺孔11および止着孔12にそれぞれ嵌入され、かつ、当該側刺ピン21と止着ピン22との弾性線材の弾性付勢力により前記レンズ支持部10をチャックしてレンズ１を支持できるようにするという技術的手段を採用した。
【０００７】
また、本発明は、上記課題を解決するために、必要に応じて上記手段に加え、左右一対のレンズ１・１がブリッジＢで並立状態に連結保持されるフロント部Ｆの左右両側にはエンドピースＥが止着保持され、かつ、このエンドピースＥの持出端部にはテンプルＴが配設されて構成されるリムレス眼鏡において、
ブリッジＢおよび／またはエンドピースＥのレンズ側端部にチャッキング治具２を配設するという技術的手段を採用した。
【０００８】
更にまた、本発明は、上記課題を解決するために、必要に応じて上記手段に加え、チャッキング治具２が弾性線材を折曲成形されており、ブリッジＢおよび／またはエンドピースＥと一体に成形するという技術的手段を採用した。
【０００９】
また、本発明は、上記課題を解決するために、必要に応じて上記手段に加え、左右一対のレンズ１・１がブリッジＢで並立状態に連結保持されるフロント部Ｆの左右両側にはエンドピースＥが止着保持され、かつ、このエンドピースＥの持出端部にはテンプルＴが配設され、前記レンズ１の上縁または下縁に沿ってブローバーＡが取り付けられて構成されるハーフリム眼鏡において、
前記ブローバーＡにおけるブリッジＢおよび／またはエンドピースＥの取付位置近傍に少なくともチャッキング治具２を配設するという技術的手段を採用した。
【００１０】
更にまた、本発明は、上記課題を解決するために、必要に応じて上記手段に加え、レンズ１の止着孔12が前後面に亙って貫通しており、この止着孔12に貫通したチャッキング治具２の止着ピン21の先端部にキャップ材22ａを被嵌するという技術的手段を採用した。
【００１１】
更にまた、本発明は、上記課題を解決するために、必要に応じて上記手段に加え、チャッキング治具２の止着ピン22がレンズ１の止着孔12に対物側から嵌挿可能である一方、チャッキング治具２の基部にはツマミ部23が一体に成形されており、このツマミ部23の圧縮操作により側刺ピン21を掛け外しして着脱容易ならしめるという技術的手段を採用した。
【発明の効果】
【００１２】
本発明にあっては、チャッキング治具の側刺ピンおよび止着ピンを巧みな位置関係に配置したことにより、各先端部がそれぞれレンズ側縁と表面の孔に確実に穿刺して、かつ、これら両ピンの弾性付勢力と相俟ってレンズを確実に止着することができる。
【００１３】
また、必要に応じて、チャッキング治具に細い線材を利用することにより、リムレス眼鏡のレンズ止着部辺りの見栄えをより一層シンプルでスッキリとしたデザインにすることができる。更にまた、眼鏡の構造を簡素化したので、眼鏡小売店等においても簡単に組立てることができ、しかも、部品のコストダウンもできることから、産業上における実用的価値は非常に高いものがあると云える。
【発明を実施するための最良の形態】
【００１４】
本発明を実施するための最良の形態を具体的に図示した図面に基いて更に詳細に説明すると次のとおりである。
【００１５】
『第１実施形態』
本発明の第１実施形態を図１から図４に基いて説明する。図中、符号１で指示するものはレンズであり、このレンズ１の側縁面にはレンズ内方に向け側刺孔11が穿設され、か
つ、この側刺孔11穿設位置近傍に該当するレンズ表面には止着孔12が穿設されることによって形成されたレンズ支持部10を備えている。
【００１６】
また、符号２で指示するものはチャッキング治具であり、このチャッキング治具２には弾性線材を折曲成形した側刺ピン21と止着ピン22とが形成されており、前記レンズ１のレンズ支持部10に固定可能である。
【００１７】
しかして、本実施形態においては、左右一対のレンズ１・１をブリッジＢで並立状態に連結保持されるフロント部Ｆの左右両側にはエンドピースＥが止着保持され、かつ、このエンドピースＥの持出端部にはテンプルＴが配設されて構成される眼鏡において、前記レンズ１を止着する機構である。
【００１８】
本実施形態では、図１に示すように、いわゆるツーポイントのリムレス眼鏡において、チャッキング治具２がブリッジＢおよび／またはエンドピースＥ（本実施形態ではエンドピースＥ）のレンズ側端部に配設したものである。
【００１９】
まず、レンズ１の側縁面にはレンズ内方に向け側刺孔11が穿設され、かつ、この側刺孔11穿設位置近傍に該当するレンズ表面には止着孔12が穿設されることによってレンズ支持部10を形成する。なお、止着孔12はレンズ１の対物側または接眼側の何れか一方から穿設されているものであって、貫通していてもしていなくても良い。
【００２０】
次に、このレンズ支持部10に固定可能なチャッキング治具２は、弾性線材を折曲成形した側刺ピン21と止着ピン22とが形成されている。そして、これら両ピンの対向した各先端部を、前記レンズ支持部10に設けられた側刺孔11および止着孔12にそれぞれ嵌入させる。      
【００２１】
こうして各孔に嵌入された側刺ピン21と止着ピン22とは、それぞれ緊密に嵌合するとともに、かつ、弾性線材の弾性付勢力により前記レンズ支持部10をチャックしてレンズ１を支持できるのである。
【００２２】
また、本実施形態では、チャッキング治具２の止着ピン22がレンズ１の止着孔12に対物側から嵌挿可能であって、チャッキング治具２の基部にはツマミ部23を一体に成形することにより、このツマミ部23の圧縮操作によって側刺ピン21を掛け外しすることができ、レンズの止着作業において、当該チャッキング治具２を着脱容易ならしめることができる（図２参照）。
【００２３】
更にまた、本実施形態では、チャッキング治具２を弾性線材を折曲成形して、ブリッジＢおよび／またはエンドピースＥと一体に成形することができ、デザイン的にスッキリとした眼鏡を構成することができる。
【００２４】
また、図３に示すように、レンズ１の止着孔12が前後面に亙って貫通している場合において、この止着孔12に貫通したチャッキング治具２の止着ピン21の先端部にキャップ材22ａを被嵌することができ、止着ピン21を抜け止めするとともに、この止着ピン21の先端部が突出することによる危険性を排除することができる。
【００２５】
なお、本実施形態の止着機構は、図４に示すように、ブリッジＢの両端部にチャッキング治具２を配設することも可能である。
【００２６】
『第２実施形態』
次に、本発明の第２実施形態を図５および図６に基いて説明する。本実施形態では、左右一対のレンズ１・１をブリッジＢで並立状態に連結保持されるフロント部Ｆの左右両側にはエンドピースＥが止着保持され、かつ、このエンドピースＥの持出端部にはテンプルＴが配設され、前記レンズ１の上縁または下縁に沿ってブローバーＡが取り付けられて構成されるハーフリム眼鏡において本発明のレンズ止着機構を採用する。
【００２７】
本実施形態では、前記ブローバーＡにおけるブリッジＢおよび／またはエンドピースＥの取付位置近傍に少なくともチャッキング治具２を配設した。このように、ハーフリム眼鏡であっても、ネジ止めなどの面倒な作業を必要としなくとも、簡単にレンズを止着することができる。
【００２８】
また、例えば、図７に示すようなデザインの眼鏡にあっては、ブローバーＡのブリッジＢ部分近傍においてチャッキング治具２を一箇所に配設し、この一点でレンズ１を支持することも可能である。
【００２９】
本発明は、概ね上記のように構成されるが、図示の実施形態に限定されるものでは決してなく、「特許請求の範囲」の記載内において種々の変更が可能であって、例えば、レンズ１のレンズ支持部10は任意の位置に変更して成形することができる。
【００３０】
また、チャッキング治具２における側刺ピン21と止着ピン22とは、レンズ支持部10にチャックする構造であれば、図８（ａ）〜（ｄ）に示すような種々の形状に変更することもできるし、取付箇所もレンズ支持部10の位置に対応させて自由に変更することもでき、何れのものも本発明の技術的範囲に属する。
【図面の簡単な説明】
【００３１】
【図１】本発明の第１実施形態の眼鏡を表わす全体斜視図である。
【図２】本発明の第１実施形態の止着機構を表わす部分拡大斜視図である。
【図３】本発明の第１実施形態の止着機構の実施変形例を表わす部分上面図である。
【００３２】
【図４】本発明の第１実施形態の止着機構の実施変形例を表わす部分上面図である。
【図５】本発明の第２実施形態の眼鏡を表わす全体斜視図である。
【図６】本発明の第２実施形態の止着機構を表わす部分分解斜視図である。
【図７】本発明の第２実施形態の眼鏡の変形例を表わす全体斜視図である。
【図８】本発明の実施形態のチャッキング治具の変形例を表わす部分上面図である。
【符号の説明】
【００３３】
１    レンズ
10    レンズ支持部
11    側刺孔
12    止着孔
２    チャッキング治具
21    側刺ピン
22    止着ピン
22ａ  キャップ材
23    ツマミ部
Ｂ    ブリッジ
Ｅ    エンドピース
Ｆ    フロント部
Ｔ    テンプル
【図１】
2005202151.tif 000003
【図２】
2005202151.tif 000004
【図３】
2005202151.tif 000005
【図４】
2005202151.tif 000006
【図５】
2005202151.tif 000007
【図６】
2005202151.tif 000008
【図７】
2005202151.tif 000009
【図８】
2005202151.tif 000010